(57)【要約】【課題】変換する文字列の変換範囲の伸縮を容易に行うことができる入力装置を提供する。【解決手段】入力装置１００は、表示部１２０と、検出部１３０と、制御部１１０とを備える。設定対象文字列１６２は、所定の文字数の変換範囲に区切られている。制御部１１０は、変換範囲減少キー９２と変換範囲増加キー９４とを表示部１２０に表示させる。制御部１１０は、変換範囲減少キー９２上での接触の検出に応じて、設定対象文字列１６２の変換範囲の文字数を所定の文字数から減少するように表示部１２０に表示させる。制御部１１０は、変換範囲増加キー９４上での接触の検出に応じて、設定対象文字列１６２の変換範囲の文字数を所定の文字数から増加するように表示部１２０に表示させる。【選択図】図４
2019012417.tif 000002
【特許請求の範囲】
【請求項１】
表示面を有する表示部と、
前記表示面に対する被検出物の接触を検出する検出部と、
複数の操作キーを前記表示部に表示させる制御部と
を備え、
前記複数の操作キーは、複数の記号が対応付けられている文字入力キーと、変換キーとを含み、
前記文字入力キー上での前記接触の検出に応じて、前記制御部は、入力文字列を前記表示部に表示させ、
前記入力文字列が前記表示部に表示された状態で、前記変換キー上での前記接触の検出に応じて、前記制御部は、前記入力文字列を変換予定文字列に変換し、変換範囲減少キーと変換範囲増加キーとを前記表示部に表示させ、
前記変換予定文字列は、設定対象文字列を含み、
前記設定対象文字列は、所定の文字数の変換範囲に区切られており、
前記制御部は、前記変換範囲減少キー上での前記接触の検出に応じて、前記設定対象文字列の変換範囲の文字数を所定の文字数から減少するように前記表示部に表示させ、前記変換範囲増加キー上での前記接触の検出に応じて、前記設定対象文字列の変換範囲の文字数を所定の文字数から増加するように前記表示部に表示させる、入力装置。
【請求項２】
前記制御部は、前記変換範囲減少キー上での前記接触の接触時間に応じて、前記変換範囲を減少させる文字数を決定し、前記変換範囲増加キー上での前記接触の接触時間に応じて、前記変換範囲を増加させる文字数を決定する、請求項１に記載の入力装置。
【請求項３】
前記制御部は、前記変換キー上での接触時間が閾値以上である場合、前記変換範囲減少キーと前記変換範囲増加キーとを前記表示部に表示させる、請求項１または請求項２に記載の入力装置。
【請求項４】
前記制御部は、前記変換キーに隣接するように、前記変換範囲減少キーと前記変換範囲増加キーとを前記表示部に表示させる、請求項１から請求項３のいずれか１項に記載の入力装置。
【請求項５】
前記変換範囲減少キーの最下部と、前記変換範囲増加キーの最下部とは、前記変換キーの最下部よりも上側に位置する、請求項１から請求項４のいずれか１項に記載の入力装置。
【請求項６】
前記制御部は、前記変換キー上での前記接触の検出に応じて、前記設定対象文字列に対応する複数の変換候補を前記表示部に表示させる、請求項１から請求項５のいずれか１項に記載の入力装置。
【請求項７】
前記制御部は、前記変換キー上での前記接触の検出に応じて、前記複数の変換候補のうち、選択される変換候補を変更する、請求項６に記載の入力装置。
【請求項８】
前記複数の操作キーは、前記設定対象文字列を移動する移動キーをさらに含み、
前記制御部は、前記移動キー上での前記接触の検出に応じて、前記設定対象文字列を変更する、請求項１から請求項７のいずれか１項に記載の入力装置。
【請求項９】
前記複数の操作キーは、空白を入力する空白キーをさらに含み、
前記変換キーと前記空白キーとは、同じ位置に位置する、請求項１から請求項８のいずれか１項に記載の入力装置。
【請求項１０】
複数の記号が対応付けられている文字入力キーと、変換キーとを含む複数の操作キーを、制御部が表示部に表示させる手順と、
前記文字入力キー上での前記表示部の表示面に対する被検出物の接触の検出に応じて、前記制御部が入力文字列を前記表示部に表示させる手順と、
前記入力文字列が前記表示部に表示された状態で、前記変換キー上での前記表示部の前記表示面に対する前記被検出物の接触の検出に応じて、前記制御部が、所定の文字数の変換範囲に区切られた設定対象文字列を含む変換予定文字列に前記入力文字列を変換し、変換範囲減少キーと変換範囲増加キーとを前記表示部に表示させる手順と、
前記制御部が、前記変換範囲減少キー上での前記表示部の前記表示面に対する前記被検出物の接触の検出に応じて、前記設定対象文字列の変換範囲の文字数を所定の文字数から減少するように前記表示部に表示させ、前記変換範囲増加キー上での前記表示部の前記表示面に対する前記被検出物の接触の検出に応じて、前記設定対象文字列の変換範囲の文字数を所定の文字数から増加するように前記表示部に表示させる手順と
を包含する、入力方法。
【発明の詳細な説明】
【技術分野】
【０００１】
本発明は、入力装置および入力方法に関する。
【背景技術】
【０００２】
近年、表示部にソフトウェアキーボードを表示させる入力装置が普及している。特許文献１に記載の携帯電子機器（入力装置）では、タッチパネルの表示面に、入力キーを備えるソフトウェアキーボードが表示される。制御部は、タッチセンサーによる検出結果に基づいて、入力キーに対するタッチを検出した後に、入力キーに対して割り当てられている各文字とフリック方向との関係を示すフリックガイドを表示させる。そして、タッチ操作におけるタッチ位置に基づいて、フリック方向が判定され、文字が入力される。
【先行技術文献】
【特許文献】
【０００３】
【特許文献１】特開２０１４−１１６７２６号公報
【発明の概要】
【発明が解決しようとする課題】
【０００４】
入力された文字に対して変換範囲ごとに区切ってカナ漢字変換が行われることがある。しかしながら、特許文献１に記載の携帯電子機器（入力装置）では、変換する文字列の変換範囲の伸縮、すなわち変換する文字列の変換範囲の文字数を変更することは困難であった。
【０００５】
本発明は上記課題に鑑みてなされたものであり、その目的は変換する文字列の変換範囲の伸縮を容易に行うことができる入力装置および入力方法を提供することにある。
【課題を解決するための手段】
【０００６】
本発明に係る入力装置は、表示部と、検出部と、制御部とを備える。前記表示部は、表示面を有する。前記検出部は、前記表示面に対する被検出物の接触を検出する。前記制御部は、複数の操作キーを前記表示部に表示させる。前記複数の操作キーは、文字入力キーと、変換キーとを含む。文字入力キーは、複数の記号が対応付けられている。前記文字入力キー上での前記接触の検出に応じて、前記制御部は、入力文字列を前記表示部に表示させる。前記入力文字列が前記表示部に表示された状態で、前記変換キー上での前記接触の検出に応じて、前記制御部は、前記入力文字列を変換予定文字列に変換する。前記変換予定文字列は、設定対象文字列を含む。前記設定対象文字列は、所定の文字数の変換範囲に区切られている。前記制御部は、変換範囲減少キーと変換範囲増加キーとを前記表示部に表示させる。前記制御部は、前記変換範囲減少キー上での前記接触の検出に応じて、前記設定対象文字列の変換範囲の文字数を所定の文字数から減少するように前記表示部に表示させる。前記制御部は、前記変換範囲増加キー上での前記接触の検出に応じて、前記設定対象文字列の変換範囲の文字数を所定の文字数から増加するように前記表示部に表示させる。
【０００７】
本発明に係る入力方法は、複数の記号が対応付けられている文字入力キーと、変換キーとを含む複数の操作キーを、制御部が表示部に表示させる手順と、前記文字入力キー上での前記表示部の表示面に対する被検出物の接触の検出に応じて、前記制御部が入力文字列を前記表示部に表示させる手順と、前記入力文字列が前記表示部に表示された状態で、前記変換キー上での前記表示部の前記表示面に対する前記被検出物の接触の検出に応じて、前記制御部が、所定の文字数の変換範囲に区切られた設定対象文字列を含む変換予定文字列に前記入力文字列を変換し、変換範囲減少キーと変換範囲増加キーとを前記表示部に表示させる手順と、前記制御部が、前記変換範囲減少キー上での前記表示部の前記表示面に対する前記被検出物の接触の検出に応じて、前記設定対象文字列の変換範囲の文字数を所定の文字数から減少するように前記表示部に表示させ、前記変換範囲増加キー上での前記表示部の前記表示面に対する前記被検出物の接触の検出に応じて、前記設定対象文字列の変換範囲の文字数を所定の文字数から増加するように前記表示部に表示させる手順とを包含する。
【発明の効果】
【０００８】
本発明によれば、変換する文字列の変換範囲の伸縮を容易に行うことができる。
【図面の簡単な説明】
【０００９】
【図１】本発明の実施形態に係る入力装置のブロック図である。
【図２】本発明の実施形態に係る入力装置の表示部を示す模式図である。
【図３】本発明の実施形態に係る入力装置の表示部を示す模式図である。
【図４】本発明の実施形態に係る入力装置の表示部を示す模式図である。
【図５】本発明の実施形態に係る入力装置の表示部を示す模式図である。
【図６】本発明の実施形態に係る入力装置の表示部を示す模式図である。
【図７】本発明の実施形態に係る入力装置の表示部を示す模式図である。
【図８】本発明の実施形態に係る入力装置の表示部を示す模式図である。
【図９】本発明の実施形態に係る入力装置の表示部を示す模式図である。
【図１０】本発明の実施形態に係る入力装置の表示部を示す模式図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１および図２を参照して、本発明の実施形態に係る入力装置１００について説明する。図１は、本発明の実施形態に係る入力装置１００のブロック図である。図２（ａ）および図２（ｂ）は、本発明の実施形態に係る入力装置１００の表示部１２０を示す模式図である。図１に示すように、入力装置１００は、制御部１１０と、表示部１２０と、検出部としてのタッチパネル１３０とを備える。制御部１１０は、例えば、ＣＰＵ（Ｃｅｎｔｒａｌ  Ｐｒｏｃｅｓｓｉｎｇ  Ｕｎｉｔ）である。
【００１２】
図２（ａ）に示すように、表示部１２０は、表示面１２０Ａを有する。タッチパネル１３０は、表示面１２０Ａに対する被検出物の接触を検出する。以下、本明細書において、被検出物として、入力装置１００のユーザーの指Ｆを例に挙げて説明する。
【００１３】
制御部１１０は、複数の操作キー１８０を表示部１２０に表示させる。複数の操作キー１８０は、第１キー１（文字入力キー）と、空白キー５と、移動キー７と、確定キー８とを含む。第１キー１には、複数の記号が対応づけられている。第１キー１は、第１キー１に対応づけられている複数の記号のうちの第１記号１Ａを含む。第１キー１の最下部１Ｂは、第１記号１Ａの下方に位置する。ここで、表示部１２０が鉛直方向に沿って延びる場合、第１記号１Ａの下方とは、重力方向における第１記号１Ａより下の方を示す。また、表示部１２０が鉛直方向に対して傾く方向に沿って延びている場合、第１記号１Ａの下方とは、入力装置１００のユーザーから見て第１記号１Ａより手元に近い方を示す。空白キー５は、空白（スペース）を入力するためのキーである。移動キー７は、設定対象文字列を移動するためのキーである。移動キー７は、前移動キー７１と、次移動キー７２とを有する。設定対象文字列については、後述する。確定キー８は、変換された文字を確定するためのキーである。
【００１４】
図２（ｂ）に示すように、第１キー１上での接触の検出に応じて、制御部１１０は、第２キー２を表示部１２０に表示させる。第２キー２は、第１キー１に対応付けられている複数の記号のうちの第２記号２Ａを含む。第２キー２の最下部２Ｂは、第２記号２Ａの下方に位置している。第２キー２の最下部２Ｂは、第１キー１の最下部１Ｂよりも上側に位置している。
【００１５】
以上、図１および図２を参照して説明したように、本実施形態によれば、第２キー２が指Ｆによって遮蔽されることを防止できる。その結果、操作性が向上する。以下、図１〜図９を参照して、入力装置１００について詳細に説明する。
【００１６】
まず、図１および図２を参照して、第２キー表示制御について説明する。第２キー表示制御は、第１キー１に第１キー１にひらがなが対応づけられている場合の入力装置１００が実行する。図２（ａ）に示すように、制御部１１０は、キーボード１０および入力フォーム１２１を表示部１２０に表示させる。キーボード１０は、複数の第１キー１を含む。複数の第１キー１は、キーボード１０が延びる方向に沿って２段に配列されている。入力フォーム１２１は、キーボード１０の上方に位置する。
【００１７】
キーボード１０は、第１キー１１（第１キー１）を含む。第１キー１１には、複数の記号として、「あ」「い」「う」「え」および「お」が対応付けられている。第１キー１１は、第１キー１１に対応付けられている複数の記号のうちの第１記号１１Ａとして、「あ」を含む。第１キー１１の最下部１１Ｂは、第１記号１１Ａの下方に位置する。
【００１８】
図２（ｂ）に示すように、第１キー１１上での接触の検出に応じて、制御部１１０は、第２キー２１（第２キー２）、第２キー２２（第２キー２）、第２キー２３（第２キー２）、および第２キー２４（第２キー２）を表示部１２０に表示させる。第２キー２１は、第１キー１１に対応付けられている複数の記号のうちの第２記号２１Ａとして、「い」を含む。以下、第２キー２１と同様にして、第２キー２２は、第２記号２２Ａとして「う」を含む。第２キー２３は、第２記号２３Ａとして「え」を含む。第２キー２４は、第２記号２４Ａとして「お」を含む。
【００１９】
第２キー２１の最下部２１Ｂは、第２記号２１Ａの下方に位置する。第２キー２２の最下部２２Ｂは、第２記号２２Ａの下方に位置する。第２キー２３の最下部２３Ｂは、第２記号２３Ａの下方に位置する。第２キー２４の最下部２４Ｂは、第２記号２４Ａの下方に位置する。
【００２０】
第２キー２１の最下部２１Ｂは、第１キー１１の最下部１１Ｂよりも上側に位置する。また、第２キー２２の最下部２２Ｂは、第１キー１１の最下部１１Ｂよりも上側に位置する。さらに、第２キー２３の最下部２３Ｂは、第１キー１１の最下部１１Ｂよりも上側に位置する。さらに、第２キー２４の最下部２４Ｂは、第１キー１１の最下部１１Ｂよりも上側に位置する。
【００２１】
また、図２（ａ）に示すように、キーボード１０は、第１キー１２（第１キー１）をさらに含む。第１キー１２には、複数の記号として、「。」「、」および「ー」が対応付けられている。第１キー１２は、第１キー１２に対応付けられている複数の記号のうちの第１記号１２Ａとして「。」、第２記号２５Ａとして「、」、および第２記号２６Ａとして「ー」を含む。第１キー１２の最下部１２Ｂは、第１記号１２Ａの下方に位置する。
【００２２】
図２（ｂ）に示すように、第１キー１２上での接触の検出に応じて、制御部１１０は、第２キー２５（第２キー２）、および第２キー２６（第２キー２）を表示部１２０に表示させる。制御部１１０は、第１記号１２Ａ、第２記号２５Ａ、および第２記号２６Ａに代えて、第１記号１２Ａを第１キー１２に含ませる。第２キー２５は、第２記号２５Ａを含む。第２キー２６は、第２記号２６Ａを含む。第２キー２５の最下部２５Ｂは、第２記号２５Ａの下方に位置する。第２キー２６の最下部２６Ｂは、第２記号２６Ａの下方に位置する。第２キー２５の最下部２５Ｂおよび第２キー２６の最下部２６Ｂは、それぞれ、第１キー１２の最下部１２Ｂより上側に位置する。
【００２３】
制御部１１０は、指Ｆの表示面１２０Ａからの離間の検出に応じて、離間の検出位置に位置する第１キー１または第２キー２を選択する。制御部１１０は、選択したキーに含まれる第１記号１Ａまたは第２記号２Ａが入力フォーム１２１に含まれるように、入力フォーム１２１を表示部１２０に表示させる。具体的には、第１キー１１を接触する指Ｆが表示面１２０Ａから離間することによって、制御部１１０は、離間の検出位置に位置する第１キー１１を選択する。そして、制御部１１０は、入力フォーム１２１を表示部１２０に表示させる。入力フォーム１２１には、選択された第１キー１１に含まれる第１記号１１Ａが含まれる。
【００２４】
第１記号１Ａおよび第２記号２Ａのうちの少なくとも１つの記号は、濁点を有する音節文字または半濁音を有する音節文字を含む。すなわち、第１キー１および第２キー２のうちの少なくとも１つのキーには、濁点を有する音節文字または半濁音を有する音節文字が対応付けられている。具体的には、キーボード１０は、第１キー１または第２キー２を含む。第１キー１または第２キー２には、「が〜ご」、「ざ〜ぞ」、「だ〜ど」、「ば〜ぼ」、および「ぱ〜ぽ」のうちの少なくとも１つの文字群が対応づけられている。
【００２５】
また、第１記号１Ａまたは第２記号２Ａのうちの少なくとも１つの記号は、捨て仮名を示す記号を含む。すなわち、第１キー１および第２キー２のうちの少なくとも１つのキーには、捨て仮名を示す記号が対応付けられている。捨て仮名を示す記号は、例えば、「ゃ」「ゅ」「ょ」および「っ」である。具体的には、キーボード１０は、第１キー１または第２キー２を含む。第１キー１または第２キー２には、「ゃ」「ゅ」「ょ」および「っ」のうちの少なくとも１つが対応づけられている。
【００２６】
以上、図１および図２を参照して説明したように、本実施形態によれば、指Ｆの表示面１２０Ａからの離間の検出に応じて、離間の検出位置に位置する第１キー１または第２キー２が選択される。従って、入力装置１００のユーザーは、表示面１２０Ａから指Ｆを離すだけで第１キー１または第２キー２を選択できる。その結果、入力装置１００のユーザーは、簡易な操作によって所望の記号を選択でき、操作性が向上する。
【００２７】
また、本実施形態によれば、第１記号１Ａまたは第２記号２Ａのうちの少なくとも１つの記号は、濁点を有する音節文字または半濁音を有する音節文字を含む。従って、第１キー１および第２キー２と異なるキーに接触することなく、濁点を有する音節文字または半濁音を有する音節文字を選択できる。その結果、入力装置１００のユーザーは、簡易な操作によって、濁点を有する音節文字を示す記号または半濁音を有する音節文字を示す記号を入力でき、操作性が向上する。第１キー１および第２キー２と異なるキーは、例えばシフトキーである。
【００２８】
さらに、本実施形態によれば、第１記号１Ａまたは第２記号２Ａのうちの少なくとも１つの記号は、捨て仮名を示す記号を含む。従って、第１キー１および第２キー２と異なるキーに接触することなく、捨て仮名を示す記号を選択できる。その結果、入力装置１００のユーザーは、簡易な操作によって、捨て仮名を示す記号を入力でき、操作性が向上する。
【００２９】
さらに、本実施形態によれば、キーボード１０に含まれる複数の第１キー１は、２段に配列されている。従って、ＪＩＳ配列のキーボードよりもキーボード１０を縮小できる。なお、ＪＩＳ配列のキーボードには、ひらがなが対応づけられたキーが４段に配列されている。
【００３０】
図１、図３〜図８を参照して、本発明の入力装置１００についてさらに詳細に説明する。図３〜図８は、本発明の実施形態に係る入力装置１００の表示部１２０を示す模式図である。
【００３１】
文字入力キー（第１キー１または第２キー２）上での接触の検出に応じて、制御部１１０は、入力文字列１５０を表示部１２０に表示させる。例えば、ユーザーは、文字入力キー（第１キー１または第２キー２）を選択することによって、入力フォーム１２１に文字を入力することができる。図３（ａ）に示すように、例えば、ユーザーが文字入力キーを選択することによって、「ち」、「ゅ」、「う」、「お」、「う」、「く」、「た」、「ま」、「つ」、「く」、「り」と文字が入力されることによって、入力文字列１５０として文字列「ちゅうおうくたまつくり」が入力フォーム１２１に表示される。
【００３２】
図３（ａ）に示すように、文字入力キーによって入力文字列１５０が入力された後に、空白キー５上での接触の検出に応じて、制御部１１０は、半角空白キー６１と、変換キー６２とを表示部１２０に表示させる。空白キー５は、記号として、全角の空白記号を含む。半角空白キー６１は、記号６１Ａとして、半角の空白記号を含む。変換キー６２は、記号６２Ａとして「変換」を含む。
【００３３】
空白キー５と、半角空白キー６１と、変換キー６２とが表示部１２０に表示された状態において、空白キー５が選択されると、入力フォーム１２１に全角の空白記号が入力される。また、半角空白キー６１が選択されると、入力フォーム１２１に半角の空白記号が入力される。また、変換キー６２が選択されると、入力文字列１５０が変換される。ここでは、変換キー６２が選択された場合について説明する。
【００３４】
図３（ａ）に示す状態において、変換キー６２が選択されると、図３（ｂ）に示すように、空白キー５が、変換キー９に切り換わる。変換キー９と空白キー５とは、同じ位置に位置する。変換キー９は、記号として「次変換」を含む。
【００３５】
図３（ａ）に示すように、入力文字列１５０が表示部１２０に表示された状態で、変換キー６２上での接触の検出に応じて、図３（ｂ）に示すように、制御部１１０は、入力文字列１５０を変換予定文字列１６０に変換する。ここでは、制御部１１０は、入力文字列１５０「ちゅうおうくたまつくり」を、変換範囲「ちゅうおうく」、「たま」、「つくり」に区切った上で、変換予定文字列１６０「中央区多摩作り」に変換する。変換予定文字列１６０は、設定対象文字列１６２と、文字列１６４とを含む。ここでは、変換予定文字列１６０は、設定対象文字列１６２「中央区」と、文字列１６４「多摩」と、文字列１６４「作り」とを含む。設定対象文字列１６２は、変換予定文字列１６０のうち変換の設定の対象となっている文字列を示す。設定対象文字列１６２は、所定の文字数の変換範囲に区切られている。設定対象文字列１６２の下方と、文字列１６４の下方には、下線が表示されている。
【００３６】
また、制御部１１０は、変換キー６２上での接触の検出に応じて複数の変換候補１４２を表示部１２０に表示させる。複数の変換候補１４２は、設定対象文字列１６２に対応する。詳しくは、制御部１１０は、変換キー６２上での接触の検出に応じて、変換候補表示領域１４０をキーボード１０の上方に表示させる。そして、制御部１１０は、変換候補表示領域１４０に複数の変換候補１４２を表示させる。変換候補１４２は、例えば、設定対象文字列１６２の同音異義語である。ここでは、制御部１１０は、変換候補表示領域１４０に、設定対象文字列１６２「中央区」に対応する変換候補１４２として、変換候補表示領域１４０に文字列「中央区」と、文字列「ちゅうおうく」とを表示させる。
【００３７】
制御部１１０は、移動キー７上での接触の検出に応じて、設定対象文字列１６２を変更する。詳しくは、変換予定文字列１６０に含まれる文字列のうち、設定対象文字列１６２と異なっている文字列を設定対象文字列１６２に変更する。より詳しくは、前移動キー７１上での接触の検出に応じて、設定対象文字列１６２を１つ前の文字列に変更する。一方、制御部１１０は、次移動キー７２上での接触の検出に応じて、設定対象文字列１６２を次の文字列に変更する。例えば、図３（ｂ）に示す状態において、制御部１１０は、次移動キー７２上での接触の検出に応じて、設定対象文字列１６２を文字列「中央区」から、図４（ａ）に示すように、文字列「多摩」に変更する。
【００３８】
図４（ａ）に示すように、設定対象文字列１６２は、文字列「多摩」に変更されている。従って、制御部１１０は、設定対象文字列１６２「多摩」に対応する変換候補１４２を変換候補表示領域１４０に表示させる。
【００３９】
変換キー９上での接触の検出に応じて、制御部１１０は、変換範囲減少キー９２と変換範囲増加キー９４とを表示部１２０に表示させる。詳しくは、制御部１１０は、変換キー９上での接触時間が閾値以上である場合、変換範囲減少キー９２と変換範囲増加キー９４とを表示部１２０に表示させる。閾値は、例えば２秒である。すなわち、ユーザーによって変換キー９が２秒以上の長押し操作がされた場合、制御部１１０は、変換範囲減少キー９２と変換範囲増加キー９４とを表示部１２０に表示させる。
【００４０】
変換範囲減少キー９２は、記号として「狭」を含む。変換範囲増加キー９４は、記号として「広」を含む。変換キー９は、記号として「次」を含む。
【００４１】
制御部１１０は、変換キー９に隣接するように、変換範囲減少キー９２と変換範囲増加キー９４とを表示部１２０に表示させる。本実施形態では、変換範囲減少キー９２の最下部９２Ｂと、変換範囲増加キー９４の最下部９４Ｂとは、変換キー９の最下部９Ｂよりも上側に位置している。
【００４２】
制御部１１０は、変換範囲減少キー９２上での接触の検出に応じて、設定対象文字列１６２の変換範囲の文字数を所定の文字数から減少するように表示部１２０に表示させる。一方、制御部１１０は、変換範囲増加キー９４上での接触の検出に応じて、設定対象文字列１６２の変換範囲の文字数を所定の文字数から増加するように表示部１２０に表示させる。例えば、図４（ａ）に示す状態において、制御部１１０は、変換範囲減少キー９２上での接触の検出に応じて、設定対象文字列１６２の「たま」の変換範囲の文字数を２文字から１文字に減少して表示部１２０に表示させる。すなわち、図４（ｂ）に示すように、設定対象文字列１６２が、文字列「多摩」から文字列「他」に変更される。
【００４３】
制御部１１０は、変換範囲減少キー９２上での接触時間に応じて、変換範囲を減少させる文字数を決定する。接触時間は、変換範囲減少キー９２上での接触の検出から離間の検出までの時間である。例えば、制御部１１０は、接触時間が０．５秒増えるごとに、変換範囲を減少させる文字数を１文字ずつ増やす。また、制御部１１０は、変換範囲増加キー９４上での接触の検出から離間の検出までの期間に応じて、変換範囲を増加させる文字数を決定する。例えば、制御部１１０は、接触時間が０．５秒増えるごとに、変換範囲を増加させる文字数を１文字ずつ増やす。
【００４４】
図４（ａ）を参照して説明したように、制御部１１０は、変換キー９上での接触時間が閾値以上である場合、変換範囲減少キー９２と変換範囲増加キー９４とを表示部１２０に表示させる。一方、図４（ｂ）に示した状態において、変換キー９上での接触時間が閾値以上になる前に、変換キー９上での離間が検出されると、制御部１１０は、変換キー９上での接触の検出に応じて、複数の変換候補１４２のうち、選択される変換候補１４２を変更する。詳しくは、制御部１１０は、図５（ａ）に示すように、選択されている変換候補１４２を次の変換候補１４２に変更する。本実施形態では、制御部１１０は、選択されている変換候補１４２を文字列「他」から文字列「田」に変更する。従って、制御部１１０は、設定対象文字列１６２の表示を、文字列「他」から文字列「田」に変更する。
【００４５】
なお、変換候補１４２の選択は、ユーザーによって変換候補１４２をタッチすることによって行われても良い。例えば、図５（ａ）に示すように、複数の変換候補１４２のうち、変換候補１４２「太」をタッチすることによって、制御部１１０は、図５（ｂ）に示すように、選択されている変換候補１４２を文字列「田」から文字列「太」に変更する。
【００４６】
なお、設定対象文字列１６２の変換範囲の文字数の変更は、設定対象文字列１６２をドラッグすることによって行われても良い。例えば、図５（ｂ）に示すように、設定対象文字列１６２「太」の右端を右方向へドラッグすることによって、図６（ａ）に示すように、制御部１１０は、設定対象文字列１６２の変換範囲の文字数を１文字から２文字に変更する。本実施形態では、変換範囲の文字数の変更に伴い、制御部１１０は、設定対象文字列１６２を文字列「太」から文字列「多摩」に変更する。
【００４７】
図６（ａ）に示すように、変換キー９上での接触の検出に応じて、制御部１１０は、変換範囲減少キー９２と変換範囲増加キー９４とを表示部１２０に表示させる。ここでは、図６（ａ）に示す状態において、制御部１１０は、変換範囲増加キー９４上での接触の検出に応じて、設定対象文字列１６２の「たま」の変換範囲の文字数を２文字から５文字に増加させて表示部１２０に表示させる。すなわち、図６（ｂ）に示すように、変換範囲の文字数の変更に伴い、制御部１１０は、設定対象文字列１６２を文字列「多摩」から文字列「玉造」に変更する。
【００４８】
なお、設定対象文字列１６２の変更は、変換予定文字列１６０に含まれる文字列１６４をタッチすることによって行われても良い。例えば、図６（ｂ）に示すように、文字列１６４「中央区」上での接触の検出に応じて、制御部１１０は、図７（ａ）に示すように、設定対象文字列１６２が、文字列「玉造」から文字列「中央区」に変更される。
【００４９】
図７（ａ）に示す状態において、確定キー８上での接触の検出に応じて、制御部１１０は変換された文字を確定する。すなわち、制御部１１０は、変換予定文字列１６０を確定文字列１７０に確定する。確定キー８上での接触の検出に応じて、制御部１１０は、文字列「中央区玉造」の下方に表示されていた下線を消す。従って、ユーザーは、未確定の文字列「中央区玉造」の入力が確定されたことを認識できる。制御部１１０は、変換予定文字列１６０を確定文字列１７０に確定すると、変換キー９が空白キー５に切り換わる。
【００５０】
図３〜図７の処理が行われることによって、入力文字列１５０が、確定文字列１７０に変換される。
【００５１】
なお、設定対象文字列１６２の変換範囲の文字数の変更は、タッチすることによって行われても良い。例えば、図８（ａ）に示すように、文字列「作り」の右側をタッチすることによって、制御部１１０は、変換範囲の文字数を２文字から５文字に変更する。図８（ｂ）に示すように、変換範囲の文字数の変更に伴い、設定対象文字列１６２を文字列「多摩」から文字列「玉造」に変更する。また、「作」と「り」の間のスペースをタッチする、あるいは両方の文字がタッチされた時は、変換範囲の文字数を２文字から４文字に変更する。
【００５２】
以上、図１〜図８を参照して説明したように、入力装置１００において、制御部１１０は、変換範囲減少キー９２上での接触の検出に応じて、設定対象文字列１６２の変換範囲の文字数を所定の文字数から減少するように表示部１２０に表示させる。一方、変換範囲増加キー９４上での接触の検出に応じて、設定対象文字列１６２の変換範囲の文字数を所定の文字数から増加するように表示部１２０に表示させる。従って、文字列の変換範囲の伸縮を容易に行うことができる。
【００５３】
また、制御部１１０は、変換範囲減少キー９２上での接触時間に応じて、変換範囲を減少させる文字数を決定する。一方、変換範囲増加キー９４上での接触時間に応じて、変換範囲を増加させる文字数を決定する。従って、文字列の変換範囲の伸縮を容易に設定することができる。
【００５４】
また、制御部１１０は、変換キー９上での接触時間が閾値以上である場合、変換範囲減少キー９２と変換範囲増加キー９４とを表示部１２０に表示させる。すなわち、ユーザーが変換キー９を長押しした場合に、変換範囲減少キー９２と変換範囲増加キー９４とが表示部１２０に表示される。一方、変換キー９上での接触時間が閾値以上になる前に離間を検出した場合は、変換候補１４２を次の変換候補１４２に切り替える。従って、変換キー９に接触する時間に応じて操作を変更することができる。
【００５５】
また、制御部１１０は、変換キー９に隣接するように、変換範囲減少キー９２と変換範囲増加キー９４とを表示部１２０に表示させる。従って、ユーザーは、変換キー９から変換範囲減少キー９２または変換範囲増加キー９４へと指Ｆをスライドさせることによって、文字列の変換範囲の伸縮を容易に行うことができる。
【００５６】
また、変換範囲減少キー９２の最下部９２Ｂと、変換範囲増加キー９４の最下部９４Ｂとは、変換キー９の最下部９Ｂよりも上側に位置する。従って、指Ｆによって、表示部１２０に変換範囲減少キー９２および変換範囲増加キー９４が遮蔽されることを防止できる。その結果、第２キー２の視認性が向上し、入力装置１００の操作性が向上する。
【００５７】
また、制御部１１０は、変換キー上での接触の検出に応じて、設定対象文字列１６２に対応する複数の変換候補１４２を表示部１２０に表示させる。従って、ユーザーは、複数の変換候補１４２から所望の文字列を選択することによって、設定対象文字列１６２の変換を容易に行うことができる。
【００５８】
また、制御部１１０は、変換キー９上での接触の検出に応じて、複数の変換候補１４２のうち、選択される変換候補１４２を変更する。従って、ユーザーは、複数の変換候補１４２から所望の文字列を選択することができる。
【００５９】
また、制御部１１０は、移動キー７上での接触の検出に応じて、設定対象文字列１６２を変更する。すなわち、変換予定文字列１６０に含まれる文字列のうち、設定対象文字列１６２と異なっている文字列を設定対象文字列１６２に変更する。従って、ユーザーは変換した文字列を容易に選択することができる。
【００６０】
また、前記変換キー９と前記空白キー５とは、同じ位置に位置する。したがって、キーボード１０を縮小することができる。
【００６１】
続いて、図１および図９を参照して、第１キー１にアルファベットが対応づけられている場合の入力装置１００が実行する第２キー表示制御について説明する。図９（ａ）および図９（ｂ）は、本発明の実施形態に係る入力装置１００の表示部１２０を示す模式図である。
【００６２】
キーボード１０は、第１キー１５（第１キー１）を含む。第１キー１５には、複数の記号として、「ａ」「Ａ」「ｂ」および「Ｂ」が対応付けられている。第１キー１５に対応づけられている複数の記号は、それぞれ、半角である。第１キー１５は、第１キー１５に対応づけられている複数の記号のうちの第１記号１５Ａとして「ａ」、および第２記号２８Ａとして「ｂ」を含む。
【００６３】
図９（ｂ）に示すように、第１キー１５上での接触の検出に応じて、制御部１１０は、第２キー２７（第２キー２）、第２キー２８（第２キー２）および第２キー２９（第２キー２）を表示部１２０に表示させる。制御部１１０は、第１記号１５Ａ、および第２記号２８Ａに代えて、第１記号１５Ａを第１キー１５に含ませる。第２キー２７は、第２記号２７Ａとして「Ａ」を含む。第２キー２８は、第２記号２８Ａを含む。第２キー２９は、第２記号２９Ａとして「Ｂ」を含む。
【００６４】
本実施形態において、第２キー２は、複数である。複数の第２キー２のそれぞれの中心から第１キー１５の中心１５Ｃまでの距離は等しい。具体的には、第２キー２７の中心２７Ｃから第１キー１５の中心１５Ｃまでの距離Ｌ１と、第２キー２８の中心２８Ｃから中心１５Ｃまでの距離Ｌ２と、第２キー２９の中心２９Ｃから中心１５Ｃまでの距離Ｌ３とは、等しい。すなわち、第２キー２７、第２キー２８、および第２キー２９は、第１キー１５に対して扇状に配置されている。
【００６５】
以上、図１および図９を参照して説明したように、本実施形態によれば、複数の第２キー２のそれぞれの中心から第１キー１までの中心までの距離は、等しい。従って、表示部１２０に表示される複数の第２キー２の視認性を向上させることができる。その結果、入力装置１００の操作性が向上する。また、表示部１２０に表示される複数のキーのデザイン性を向上させることができる。
【００６６】
なお、本発明は、ＪＩＳ配列のキーボードのような一般的なキーの配列にも適用が可能である。図１０は、本発明の実施形態に係る入力装置１００の表示部１２０を示す模式図である。
【００６７】
図１０（ａ）および図１０（ｂ）に示すように、制御部１１０は、複数の操作キー１８０を表示部１２０に表示させる。複数の操作キー１８０は、第１キー１（文字入力キー）と、空白キー５と、移動キー７と、確定キー８と、変換キー９とを含む。本実施形態では、空白キー５と、変換キー９とは異なる位置に配置される。
【００６８】
図１０（ａ）に示す状態において、変換キー９上での接触の検出に応じて、図１０（ｂ）に示すように、制御部１１０は、変換範囲減少キー９２と変換範囲増加キー９４とを表示部１２０に表示させる。本実施形態では、変換範囲減少キー９２は、変換キー９の左方に表示される。変換範囲増加キー９４は、変換キー９の右方に表示される。本実施形態では、変換キー９の最下部９Ｂと、変換範囲減少キー９２の最下部９２Ｂと、変換範囲増加キー９４の最下部９４Ｂとは、一直線上に並ぶ。
【００６９】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７０】
（１）図１〜図１０を参照して説明したように、ユーザーは、被検出物として指Ｆで表示部１２０の表示面１２０Ａを接触したが、被検出物としてタッチペン（図示せず）で表示面１２０Ａを接触してもよい。
【００７１】
（２）図１〜図１０を参照して説明したように、変換範囲減少キー９２と変換範囲増加キー９４とは、変換キー９の上方または、左右に表示されていたが、変換キー９の上下に表示されてもよい。例えば、変換範囲減少キー９２が変換キー９の上方に表示され、変換範囲増加キー９４が、変換キー９の下方に表示されてもよい。
【符号の説明】
【００７２】
５        空白キー
７        移動キー
９        変換キー
６２      変換キー
９２      変換範囲減少キー
９４      変換範囲増加キー
１００    入力装置
１１０    制御部
１２０    表示部
１３０    タッチパネル（検出部）
１４２    変換候補
１５０    入力文字列
１６０    変換予定文字列
１６２    設定対象文字列
１８０    操作キー
Ｆ        指（被検出部）
【図１】
2019012417.tif 000003
【図２】
2019012417.tif 000004
【図３】
2019012417.tif 000005
【図４】
2019012417.tif 000006
【図５】
2019012417.tif 000007
【図６】
2019012417.tif 000008
【図７】
2019012417.tif 000009
【図８】
2019012417.tif 000010
【図９】
2019012417.tif 000011
【図１０】
2019012417.tif 000012